(57)【要約】【課題】不正行為の防止効果を高めるようにした基板ケース及びこの基板ケースを備える遊技機を提供する。【解決手段】基板ケースは、制御基板を挟むように被覆する一対のケース体と、両ケース体を連結した状態で封印する封印手段とを備える。封印手段は、各ケース体にそれぞれ設けられる係合部と、両係合部を締結する締結具と、締結具によって操作されるとともに両ケース体の係合部を係止する係止部材と、を備える。係止部材は、締結具が回転操作されることで、この締結具に押圧されることにより、一方のケース体の係合部から他方のケース体の係合部に向かって移動して両ケース体の係合部を係止するように構成される。【選択図】図７
2015144779.tif 000002
【特許請求の範囲】
【請求項１】
遊技機内に設けられる制御基板を収納する基板ケースにおいて、
制御基板を挟むように被覆する一対のケース体と、両ケース体を連結した状態で封印する封印手段とを備え、
封印手段は、各ケース体にそれぞれ設けられる係合部と、両係合部を締結する締結具と、締結具によって操作されるとともに両ケース体の係合部を係止する係止部材と、を備え、
係止部材は、締結具が回転操作されることで、この締結具に押圧されることにより、一方のケース体の係合部から他方のケース体の係合部に向かって移動して両ケース体の係合部を係止するように構成されることを特徴とする基板ケース。
【請求項２】
前記係止部材は、内側の係合部内に収納された初期位置から、その一部が内側の係合部から外側に突出して両係合部を係止する係止位置に向かって移動可能に、内側の係合部に支持されており、締結具は、回転操作されることにより、係止部材に接触してこの係止部材を初期位置から係止位置に向けて押圧する押圧部を備える、請求項１に記載の基板ケース。
【請求項３】
一方のケース体における係合部が他方のケース体における係合部の内側に挿入されるように構成され、前記係止部材は、内側の係合部から外側の係合部に向かって移動可能となるように、内側の係合部に支持された一対のスライド部材から構成され、締結具の押圧部は、初期位置にある一対の係止部材の間に位置する、請求項２に記載の基板ケース。
【請求項４】
請求項１から３のいずれか１項に記載の基板ケースを備えることを特徴とする遊技機。
【発明の詳細な説明】
【技術分野】
【０００１】
本発明は、パチンコ機等の遊技機に設けられる制御基板の基板ケース及びこの基板ケースを用いる遊技機に関する。
【背景技術】
【０００２】
従来のパチンコ機等の遊技機では、内蔵される主制御部、副制御部、払出制御部等の各種の制御部によって、遊技の進行制御が行われている。
【０００３】
各制御部は、各種の制御基板が基板ケースに収納された状態で構成される。基板ケースは、例えば２つの構成部材（ケース体）によって制御基板を覆うように内側に収納することができる。
【０００４】
通常、この基板ケースには、内部に収納されている制御基板が不正に取り出されないようにするために、封印手段によって封印されている（例えば特許文献１参照）。封印手段は、基板ケースの２つの構成部材をロックするロックピンを有する。
【０００５】
ロックピンは、基板ケースの２つの構成部材の所定部位に設けられる取付部に係合することにより、２つの構成部材を連結する。基板ケースは、封印手段が解除されたかどうかを確認することにより、基板ケース内の制御基板が不正に取り出されたかどうかを確認できる。さらに、基板ケースは、封印手段によって封印されることにより、不正な行為を行おうとする者に対する抑止効果を発揮している。
【先行技術文献】
【特許文献】
【０００６】
【特許文献１】特開２０１２−２２３３４８号公報
【発明の概要】
【発明が解決しようとする課題】
【０００７】
近年、不正行為のさらなる巧妙化が問題となってきており、封印による不正行為の防止効果を高めることが重要になってきている。
【０００８】
本発明は、上記の事情に鑑みてなされたものであり、不正行為の防止効果を高めるようにした基板ケース及びこの基板ケースを備える遊技機を提供することを目的とする。
【課題を解決するための手段】
【０００９】
本発明は、上記の課題を解決するためのものであって、遊技機内に設けられる制御基板を収納する基板ケースにおいて、制御基板を挟むように被覆する一対のケース体と、両ケース体を連結した状態で封印する封印手段とを備え、封印手段は、各ケース体にそれぞれ設けられる係合部と、両係合部を締結する締結具と、締結具によって操作されるとともに両ケース体の係合部を係止する係止部材と、を備え、係止部材は、締結具が回転操作されることで、この締結具に押圧されることにより、一方のケース体の係合部から他方のケース体の係合部に向かって移動して両ケース体の係合部を係止するように構成されることを特徴とする。
【００１０】
かかる構成によれば、基板ケースは、例えば締結具が不正に抜き取られた場合であっても、係止部材が一対のケース体を係止しているため、基板ケースを開くことができなくなっている。したがって、このような構成による封印によって、不正行為の防止効果が高められる。
【００１１】
また、本発明に係る基板ケースによれば、前記係止部材は、内側の係合部内に収納された初期位置から、その一部が内側の係合部から外側に突出して両係合部を係止する係止位置に向かって移動可能に、内側の係合部に支持されており、締結具は、回転操作されることにより、係止部材に接触してこの係止部材を初期位置から係止位置に向けて押圧する押圧部を備えることが望ましい。
【００１２】
また、本発明に係る基板ケースによれば、一方のケース体における係合部が他方のケース体における係合部の内側に挿入されるように構成され、前記係止部材は、内側の係合部から外側の係合部に向かって移動可能となるように、内側の係合部に支持された一対のスライド部材から構成され、締結具の押圧部は、初期位置にある一対の係止部材の間に位置することが望ましい。
【００１３】
また、本発明に係る遊技機は、上記の基板ケースを備えることを特徴とする。
【発明の効果】
【００１４】
本発明によれば、不正行為の防止効果を高めるようにした基板ケース及びこの基板ケースを備える遊技機を提供できる。
【図面の簡単な説明】
【００１５】
【図１】図１は、本発明に係る遊技機の一実施形態を示す斜視図である。
【図２】図２は、本発明に係る遊技機の背面図である。
【図３】図３は、本発明に係る基板ケースの分解斜視図である。
【図４】図４は、本発明に係る基板ケースの部分斜視図である。
【図５】図５は、本発明に係る基板ケースの部分斜視図である。
【図６】図６は、封印前における第１封印手段の側面図である。
【図７】図７は、封印後における第１封印手段の側面図である。
【図８】図８は、図６におけるＶＩＩＩ−ＶＩＩＩ矢視線の断面図である。
【図９】図９は、図７におけるＩＸ−ＩＸ矢視線の断面図である。
【図１０】図１０は、封印前における第１封印手段を示す側面図である。
【図１１】図１１は、封印後における第１封印手段を示す側面図である。
【図１２】図１２は、締結具、保持部材、および係止部材を示す分解斜視図である。
【図１３】図１３は、保持部材の背面図である。
【図１４】図１４は、基板ケースの第２封印手段を示す分解斜視図である。
【図１５】図１５は、封印後における第２封印手段を示す平面図である。
【図１６】図１６は、図１５にけるＸＶＩ−ＸＶＩ矢視線の断面図である。
【図１７】図１７は、図１５におけるＸＶＩＩ−ＸＶＩＩ矢視線の断面図である。
【発明を実施するための形態】
【００１６】
以下、本発明を実施するための形態について図面を参照しながら説明する。図１〜図１７は、本発明に係る遊技機の一実施形態を示す。
【００１７】
本実施形態に係る遊技機（パチンコ遊技機）は、図１に示すように、矩形状に枠組みされた外枠１と、外枠１に開閉自在に取り付けられる遊技盤保持枠（図示略）に保持される遊技盤２と、遊技盤保持枠に開閉自在に取り付けられる扉３とを備える。なお、扉３には、内部の遊技盤２を視認できるように、透明板（例えばガラス板等）からなる窓部（図示略）が設けられている。
【００１８】
遊技盤２は、所定の情報を表示する表示装置４と、遊技盤２に向けて遊技球を発射させるための発射装置（図示略）から発射された遊技球を上部に導くためのガイドレール５と、遊技球が通過可能なゲート６と、遊技球が入球可能な入球口７と、遊技球を機内に回収するための回収口８と、遊技球がゲート６及び入球口７に入球したことをそれぞれ検出する検出部（図示略）と、所定の入球口７を開閉させる開閉手段９とを備える。
【００１９】
なお、遊技盤２には、多数の遊技釘（図示略）が打設されており、遊技領域を転動する遊技球、即ち、上部に導かれた遊技球が、複数の遊技釘に衝突を繰り返しつつ、又は遊技釘間を通って下方に落下する。
【００２０】
さらに、遊技機は、発射装置を操作するためのハンドル１０と、発射装置に供給するための遊技球を貯留する受皿１１と、電飾用のランプ１２と、効果音を発生させるスピーカ１３とを備える。また、受皿１１の縁部の上面には、貸出ボタン１１ａ及び返却ボタン１１ｂが設けられている。貸出ボタン１１ａは、遊技球貸出装置に対し予め定められた度数分の遊技球の貸出を指示するためのボタンである。また、返却ボタン１１ｂは、遊技球貸出装置に対し残度数記録媒体の返却を指示するためのボタンである。
【００２１】
図２に示すように、遊技機の背面には、各部を制御すべく、遊技の進行を制御する主制御部１４、主制御部１４からの信号に基づいて、表示装置４に所定の遊技状態を表示させるとともに、ランプ１２、スピーカ１３等の各部の制御を行う副制御部１５、遊技球の払い出しの制御を行う払出制御部１６、及び払出制御部１６からの信号に基づいて所定数の遊技球を払い出す払出装置（図示略）等が設けられている。
【００２２】
また、遊技機の内部には、遊技店内に配置されるホールコンピュータと主制御部１４とを接続するための外部端子板、遊技機外に並設される遊技球貸出装置からの信号を払出制御部１６に送信するための遊技球貸出装置接続端子板等が設けられている。
【００２３】
図３〜図５は、主制御部１４を構成する制御基板１８を収納する基板ケース２１を示す。なお、基板ケース２１は、図２にも示されている。
【００２４】
基板ケース２１に収納される制御基板１８は、図３に示すように、長方形状に構成される基板本体１８ａと、基板本体１８ａに搭載されるＣＰＵ、ＲＯＭ、ＲＡＭ、端子部（コネクタ）その他の電子部品１８ｂとを備える。
【００２５】
また、基板本体１８ａには、この基板本体１８ａを基板ケース２１に固定するためのねじ部材１９を挿通させるための挿通孔１８ｃが形成されている（図３参照）。基板ケース２１には、ねじ部材１９を螺合するためのねじ穴（図示略）が形成されている。ねじ部材１９を挿通孔１８ｃに挿通するとともにねじ穴に螺合することによって、基板本体１８ａは基板ケース２１に固定されることになる。
【００２６】
図３、図４に示すように、基板ケース２１は、第１ケース体２２と、第２ケース体２３と、第１ケース体２２及び第２ケース体２３が結合された状態を確認できるようにこれらを封印する第１封印手段２４と、この第１封印手段２４とは別に、封印シール６１を用いて基板ケース２１の封印を行う第２封印手段２５と、を有する。
【００２７】
第１ケース体２２及び第２ケース体２３は合成樹脂によって平面視長方形状に形成されている。第１ケース体２２及び第２ケース体２３の間には、制御基板１８を収納するための収納空間が形成されている。
【００２８】
第１ケース体２２は、基板ケース２１に収納される制御基板１８を目視で確認できるように、透明な樹脂によって平面視長方形状に構成されている。第１ケース体２２は、その長辺部分に第２ケース体２３に係合する複数の突起部２２ａを有する。この突起部２２ａは、図３に示すように、第１ケース体２２の長手方向に沿って長く突出している。第１ケース体２２は、その内面側に、基板本体１８ａを固定するためのねじ部材１９を螺合させるためのねじ孔（図示略）を有する。
【００２９】
第２ケース体２３は、第１ケース体２２の形状に対応して、平面視長方形状に構成されている。第２ケース体２３は、第１ケース体２２が取り付けられたときに、この第１ケース体２２の突起部２２ａを係止するように構成されている。
【００３０】
第１封印手段２４は、図３から図５に示すように、長尺状に構成される基板ケース２１の長手方向における一端部に形成されている。この基板ケース２１には、２つの第１封印手段２４，２４が設けられている。２つの第１封印手段２４，２４の構成は同等であるため、以下、このうちの一方の第１封印手段２４の構成について説明する。
【００３１】
第１封印手段２４は、第１ケース体２２と第２ケース体２３とを連結した状態で基板ケース２１を封印する。第１封印手段２４は、第１ケース体２２に形成される第１係合部２６と、第２ケース体２３に形成される第２係合部２７と、第１係合部２６と第２係合部２７とが係合された状態で、第１係合部２６と第２係合部２７とを締結する締結具２８と、締結具２８によって操作されるとともに、第１係合部２６と第２係合部２７とを係止する一対の係止部材３１，３１と、この係止部材３１を保持する保持部材３２と、を備える。
【００３２】
図３、図４に示すように、第１ケース体２２に形成される第１係合部２６は、第１ケース体２２の短辺部分に形成される壁部から突出する中空の四角柱状に構成されている。この第１係合部２６の突出端面には締結具２８が挿通される第１挿通口２９が形成されている。図３に示すように、この第１挿通口２９の下方位置に、円形状の貫通孔３７が形成されている。また、第１係合部２６の側面には、係止部材３１の一部が挿通される第２挿通口３０が形成されている。図８、図９に示すように、第１係合部２６には、締結具２８の先端部を収納するための収納凹部３３が形成されている。第１係合部２６の下部には、保持部材３２を第１係合部２６の内部に挿入するための挿入口（図示せず）が形成されている。
【００３３】
図８、図９に示すように、係止部材３１，３１及び保持部材３２は、第１係合部２６の内部に配置されている。
【００３４】
各係止部材（スライド部材）３１は、保持部材３２内に収納された収納位置（初期位置）から保持部材３２及び第１係合部２６の外側に突出して第２ケース体２３を係止する係止位置に向かってスライド移動可能に保持部材３２に支持されている。各係止部材３１は、前記係止位置にて保持部材３２及び第１係合部２６の外側に突出して第２ケース体２３を係止する一対の係止突起部４１，４１と、締結具２８に接触及び押圧され得る係合凹部４２と、係止部材３１における係止位置へのスライド移動時に、保持部材３２の端縁に係合して前記収納位置に向かう方向へのスライド移動を規制する固定部４３とを備える。
【００３５】
係止突起部４１は、板状に構成されている。係合凹部４２は、図６、図７及び図１２に示すように、保持部材３２の内方に面する凹面４２ａを備える。凹面４２ａは、締結具２８の回転による力を、係止部材３１の移動方向への力として伝達できるように所定の角度で傾斜する傾斜面を有する。図６及び図１２に示すように、収納位置にある一対の係止部材３１，３１は、係合凹部４２同士が向かい合うように、隣接した状態で保持部材３２に保持される。この配置により、向かいあう一対の係合凹部４２，４２の間に空間が形成されている。
【００３６】
固定部４３は、係止突起部４１と同じ方向に突出して形成されている。固定部４３は、係止部材３１に形成される２つの係止突起部４１，４１の間に形成されている。図８，図９に示すように、この固定部４３は、保持部材３２の厚さ方向に突出する突起部４４を有する。
【００３７】
図１２に示すように、保持部材３２は、板状に構成される第１構成部材３２ａ及び第２構成部材３２ｂを備える。保持部材３２は、第１構成部材３２ａと第２構成部材３２ｂを対向させて結合することにより、内側に一対の係止部材３１，３１をスライド移動可能に挟持している。
【００３８】
保持部材３２は、第１構成部材３２ａに形成される第１開口部４６と、第１構成部材３２ａと第２構成部材３２ｂとの接触（接合）部分に形成される第２開口部４７と、第２構成部材３２ｂに形成される円形状の第３開口部４８とを備える。
【００３９】
第１開口部４６は、締結具２８を回転可能に案内する案内部４９と、この締結具２８が回転しないように係止する係止部５０とを有する。案内部４９は、第１開口部４６の縁部に形成される円弧状の部分である。係止部５０は、第１開口部４６の縁部から突出する突出部として構成される。
【００４０】
第２開口部４７は、保持部材３２の内部に保持される係止部材３１を保持部材３２から突出させるためのものである。第２開口部４７は、保持部材３２に保持される一対の係止部材３１，３１に対応して、保持部材３２における一対の側面にそれぞれ形成されている。
【００４１】
第３開口部４８は、締結具２８の最先端を挿通可能な内径を有している。図１３に示すように、第２構成部材３２ｂの外面側には、締結具２８の端部を所定の方向に案内する２つの案内突起部３４，３４が形成されている。この案内突起部３４は、第３開口部４８の縁部に沿って円弧状に構成される突起部である。２つの案内突起部３４，３４のうち、一方の案内突起部３４は、第３開口部４８における縁部の上側に位置し、他方の案内突起部３４は、第３開口部４８の縁部の下側に位置している。この構成により、一方の案内突起部３４の円弧における端部と、他方の案内突起部３４の円弧における端部とは、所定の間隔をおいて離れた位置にある。換言すれば、一方の案内突起部３４の円弧における各端部と、他方の案内突起部３４の円弧における各端部との間には隙間３５が形成されている。
【００４２】
図１３に示すように、保持部材３２の第１構成部材３２ａは、第１開口部４６の下方位置に突起部５５を有する。この突起部５５は、保持部材３２が第１ケース体２２の第１係合部２６の内部に挿入されたときに、第１係合部２６の内側から貫通孔３７（図３参照）に入って係止される。これにより、保持部材３２は、第１係合部２６から抜け外れないように、この第１係合部２６に保持される。
【００４３】
図１３に示すように、保持部材３２の第２構成部材３２ｂには、係止部材３１を所定の方向に案内するための２つの案内溝３６，３６が形成されている。案内溝３６は、図１３に示すように、横方向に沿って直線状に構成される。なお、係止部材３１には、この案内溝３６に係合する係合突起部４５が形成されている。係合突起部４５が案内溝３６に係合することにより、係止部材３１を初期位置から係止位置まで確実に案内することが可能になる。
【００４４】
第２ケース体２３の第２係合部２７は、第２ケース体２３の短辺部分から突出する中空の四角柱状に構成されている。第２係合部２７は、第１係合部２６を内側に挿入できるように、第１係合部２６よりも大きく構成されている。第２係合部２７は、図３から図７に示すように、第１係合部２６を被覆する第１被覆部５１と、締結具２８の基端部を被覆する第２被覆部５２とを備える。
【００４５】
第１被覆部５１は、その内面に、締結具２８の係止部材３１における係止突起部４１が係合する係合溝５３を有する。また、第１被覆部５１の側部内面には、金属製の板部材５４がはめ込まれている。
【００４６】
第２被覆部５２は、第１被覆部５１の一部から突出する筒形状に構成されている。第２被覆部５２の一端部は、第１被覆部５１の一部と一体に構成されている。第２被覆部５２の他端部は、所定の工具を第２被覆部５２の内側に挿通できるように開口している。
【００４７】
締結具２８は、図３、図６、図７及び図１２に示すように、軸部５６と、所定の工具によって操作可能な操作部５７と、第１係合部２６の収納凹部３３に収納されるとともに、第１係合部２６から締結具２８が抜けはずれないように掛止する掛止突起部５８と、係止部材３１に接触してこの係止部材３１を初期位置から係止位置に向けて押圧する押圧部５９とを備える。
【００４８】
軸部５６は、長尺の棒状に構成される。軸部５６は、図８、図９に示すように、第１係合部２６の内部に挿入されている。
【００４９】
図８から図１２に示すように、操作部５７は、軸部５６の一端部に形成されている。操作部５７は、軸部５６が第１係合部２６に内部に挿入された状態で、この第１係合部２６の外面側に配置される。操作部５７は、軸部５６の中途部の直径よりも大きな直径を有する円筒状に構成される。操作部５７は、その内側の部分に、工具の先端部が係合する凹部６０を有する。本実施形態において、この凹部６０は、図１１、図１２に示すように、マイナスドライバが係合するように、直線（マイナス）形状に構成されている。
【００５０】
図９、図１２に示すように、掛止突起部５８は、軸部５６の他端部に形成されている。本実施形態において、締結具２８には、２つの掛止突起部５８，５８が形成されている。各掛止突起部５８は、板状に構成されて弾性変形可能となっている。各掛止突起部５８は、軸部５６の軸線方向に対して所定の角度で傾斜する方向に突出している。掛止突起部５８は、締結具２８が軸線方向に移動しないように、保持部材３２における第２構成部材３２ｂの外面に当接して、締結具２８を掛止する。
【００５１】
各掛止突起部５８は、封印前の状態（図８、図１０の状態）では、保持部材３２の第２構成部材３２ｂに形成される２つの案内突起部３４，３４の円弧の内側に位置している。２つの案内突起部３４，３４の間隔は、２つの掛止突起部５８，５８の突端同士の間隔よりも小さくなっている。このため、各掛止突起部５８は、封印前の状態において、２つの案内突起部３４，３４の内側の凹面に押圧されて弾性変形することになる。この状態から締結具２８が９０°回転すると、各掛止突起部５８は、２つの案内突起部３４，３４の端部間に形成されている隙間３５に位置することになる。この位置では、各掛止突起部５８は、弾性変形が解除されて元の形状に復元する。このように復元すると、各掛止突起部５８は、２つの案内突起部３４，３４の円弧の内側に戻ることができず、各案内突起部３４の円弧における端部に係止されることになる。すなわち、締結具２８は、一旦封印が完了すると、封印前の状態に戻らないように、案内突起部３４によって係止される。
【００５２】
押圧部５９は、軸部５６の中途部に形成されている。押圧部５９は、一対の係止部材３１，３１に対応するように、一対の突起部として構成される。押圧部５９は、軸部５６の軸線方向に対して直交する方向（半径方向）に突出している。押圧部５９は、その一部が一対の係止部材３１，３１の間に位置するとともに、他の一部が保持部材３２の第１開口部４６に係合（重なる）ように配置される。
【００５３】
図３、図１４から図１７に示すように、第２封印手段２５は、封印シール６１を貼り付け可能な貼付部６２と、封印シール６１を切断可能な切断部材６３と、封印シール６１を被覆可能なカバー体６４と、第１ケース体２２と第２ケース体２３とを連結する連結部材６５と、を備える。
【００５４】
封印シール６１は、四角形状に構成されている。この封印シール６１は、管理番号その他の情報が記載されている。この情報は、例えばＱＲコード（登録商標）として封印シール６１に印刷される。
【００５５】
貼付部６２は、第１ケース体２２に形成される第１貼付部６６と、第２ケース体２３に形成される第２貼付部６７と、第１ケース体２２が第２ケース体２３に取り付けられたときに、第１貼付部６６と第２貼付部６７とを連結する連結部６８とを有する。
【００５６】
図３、図１４に示すように、第１貼付部６６は、第１ケース体２２に形成される２つの第１係合部２６，２６の間に形成されている。本実施形態では、２つの第１貼付部６６が所定の間隔をおいて第１ケース体２２に形成されている。第１貼付部６６は、封印シール６１の一部が貼り付けられる貼付面６６ａを有する。
【００５７】
図３、図１４に示すように、第２貼付部６７は、第２ケース体２３に形成される２つの第２係合部２７，２７の間に形成されている。本実施形態では、２つの第２貼付部６７が所定の間隔をおいて第２ケース体２３に形成されている。２つの第２貼付部６７の間隔は、２つの第１貼付部６６の間隔とほぼ等しくなっている。
【００５８】
第２貼付部６７は、封印シール６１の一部が貼り付けられる貼付面６７ａを有する。第２貼付部６７は、第１ケース体２２が第２ケース体２３に取り付けられたときに、図５、図１４に示すように、第１貼付部６６に隣接する。このとき、第２貼付部６７の貼付面６７ａは、第１貼付部６６の貼付面６６ａとほぼ面一になるように配置される。
【００５９】
図３、図１４に示すように、連結部６８は、第１貼付部６６の側部から第１ケース体２２の長手方向外方に突出する突出部として構成される。連結部６８は、第１ケース体２２が第２ケース体２３に取り付けられたときに、第２貼付部６７の側部を係止するように構成される。
【００６０】
切断部材６３は、第１ケース体２２が第２ケース体２３に取り付けられた状態で、２つの第１貼付部６６，６６の間、及び２つの第２貼付部６７，６７の間の収納空間に挿入される。切断部材６３は、封印シール６１を切断可能な切断刃６９と、切断刃６９の両端部に設けられるともにこの切断刃６９を支持する２つの支持部７０，７０とを有する。切断刃６９は、収納空間に収納されることで、封印シール６１が貼付部６２に貼り付けられたときに、この封印シール６１の下側に位置することになる。
【００６１】
図１７に示すように、２つの支持部７０，７０のうち、一方の支持部７０は、切断刃６９がその収納空間に収納されたときに、第１貼付部６６側に位置し、他方の支持部７０は、第２貼付部６７側に位置するように構成される。各支持部７０は、２つの第１貼付部６６の間隔および２つの第２貼付部６７の間隔よりも大きな幅を有する。各支持部７０は、切断部材６３をカバー体６４に連結させるための開口部７１を有する。
【００６２】
切断刃６９が前記収納空間に収納されると、一方の支持部７０は、第１貼付部６６の側部に当接して、この第１貼付部６６を係止する。さらに、他方の支持部７０は、第２貼付部６７の側部に当接して、この第２貼付部６７を係止する。したがって、第１貼付部６６と第２貼付部６７は、切断部材６３が所定位置に設けられ、封印シール６１が貼付部６２に貼付された後は、互いに離れないように、切断部材６３の支持部７０に係止される。これにより、封印シール６１による封印後は、切断部材６３を取り外さなければ第１ケース２２と第２ケース体２３とを分解することができなくなる。すなわち、切断部材６３の取り外しによって、封印シール６１を切断しなければ、第１ケース体２２と第２ケース体２３とを分解できず、これらを分解した場合には、必ず切断部材６３による封印シール６１の切断の痕跡が残ることになる。
【００６３】
カバー体６４は、封印シール６１を被覆した状態においても、この封印シール６１の状態を目視で確認できるように、透明な樹脂で構成される。カバー体６４は、封印シール６１及び貼付部６２の面積よりも大きな面積を有するカバー部７２と、このカバー部７２を囲むように一体に構成される側壁部７３と、カバー体６４を基板ケース２１に固定するための固定突起部７４と、カバー体６４を切断部材６３と連結させるための連結突起部７５とを有する。
【００６４】
カバー部７２は、カバー体６４が基板ケース２１に固定されたときに、貼付部６２に貼り付けられている封印シール６１を対面してこれを被覆する。カバー部７２は、封印シール６１よりも大きな面積の四角形状に構成される。
【００６５】
側壁部７３は、四角形状（長方形状）のカバー部７２の４辺を囲繞するように構成される。側壁部７３は、カバー体６４が基板ケース２１に固定されたときに、第１貼付部６６の側部及び第２貼付部６７の側部を覆うように構成される。
【００６６】
図１６に示すように、固定突起部７４は、カバー部７２の内面から突出する２つの突起部として構成される。各固定突起部７４は、長方形状に構成されるカバー部７２の長辺に近接する位置で、かつ側壁部７３の内側の位置で、カバー部７２の内面から突出している。各固定突起部７４は、カバー体６４を基板ケース２１の第１ケース体２２に固定する。具体的には、固定突起部７４は、第１ケース体２２における第１貼付部６６の側部に形成さている切欠部７６に係止されることにより、カバー体６４を第１ケース体２２に固定する。
【００６７】
図１７に示すように、連結突起部７５は、カバー部７２の内面から突出する２つの突起部として構成される。各連結突起部７５は、長方形状に構成されるカバー部７２の短辺に近接する位置で、かつ側壁部７３の内側の位置で、カバー部７２の内面から突出している。この連結突起部７５は、カバー体６４を第１ケース体２２に固定したときに、切断部材６３の支持部７０に形成された開口部７１の縁部を係止することにより、切断部材６３をカバー体６４に連結する。
【００６８】
連結部材６５は、第１ケース体２２を第２ケース体２３に取り付けたときに、貼付部６２に対応する位置で、第１ケース体２２と第２ケース体２３とを連結する。本実施形態において、連結部材６５には、ねじ部材が採用される。
【００６９】
図１７に示すように、第１ケース体２２に形成される２つの第１貼付部６６の間の位置において、第１ケース体２２を貫通する貫通孔２２ｂが形成されている。第２ケース体２３には、この貫通孔２２ｂの位置に対応する位置に、連結部材６５であるねじ部材が係合するねじ穴２３ａが形成されている。この貫通孔２２ｂを通じてねじ穴２３ａに連結部材６５が螺合することにより、第１ケース体２２と第２ケース体２３とが連結される。この連結状態において、連結部材６５の上側に、切断部材６３が配置されることになる。
【００７０】
以下、本発明に係る基板ケース２１による制御基板１８の収納方法、及び封印方法について説明する。
【００７１】
制御基板１８を基板ケース２１に収納するには、まず、第１ケース体２２の内面に制御基板１８をねじ止め等の手段によって固定する。次に、第１ケース体２２を第２ケース体２３に重ね合わせる。この際、図４に示すように、第１ケース体２２と第２ケース体２３とを長手方向にずらした状態で互いに重ね合わせる。次に、第１ケース体２２の第１係合部２６を第２ケース体２３の第２係合部２７に近づけるように、第１ケース体２２を長手方向に沿ってスライドさせる。
【００７２】
そうすると、第１ケース体２２の突起部２２ａが、第２ケース体２３に係止されるとともに、第１係合部２６が第２係合部２７の内側に挿入され、両係合部２６，２７が係合した状態になる（図５参照）。これにより、第１ケース体２２は、第２ケース体２３から厚さ方向に外れないように固定（仮固定）される。このとき、基板ケース２１は、第１ケース体２２及び第２ケース体２３によって、制御基板１８を挟むようにして被覆することになる。
【００７３】
また、この状態では、図８、図９に示すように、第１ケース体２２の第１係合部２６に取り付けられている締結具２８の操作部５７が、第２ケース体２３の第２被覆部５２の内部に挿入される。この状態では、第２被覆部５２の端部が開口していることから、図１０に示すように、第２被覆部５２内の操作部５７を目視できるようになっている。
【００７４】
次に、第１封印手段２４による封印方法について説明する。
【００７５】
まず、上記のように第１係合部２６が第２係合部２７に係合した状態において、例えばマイナスドライバを用いて、締結具２８を回転操作する。図１０に示すように、封印前の状態では、操作部５７における直線状の凹部６０は、縦向きになっている。このとき、係止部材３１は、図６に示す収納位置（初期位置）にある。締結具２８による締結は、マイナスドライバの先端部を、凹部６０に係合させ、時計回りに９０°回転させる。そうすると、締結具２８の操作部５７の凹部６０は、図１１に示すように横向きとなる。
【００７６】
この回転により、軸部５６に形成されている押圧部５９も時計回りに回転し、係止部材３１を押圧する。このとき、係止部材３１における係合凹部４２の凹面４２ａは、押圧部５９によって押圧される。これにより、係止部材３１が、図６、図８に示す収納位置（初期位置）から、図７、図９に示す係止位置へと移動する。このとき、保持部材３２における案内溝３６に沿って、係止部材３１の係合突起部４５が移動する。さらに、係止部材３１の係止突起部４１が、保持部材３２の第２開口部４７を通じて保持部材３２から突出し、第１係合部２６における係合溝５３に係合する。このとき、係止部材３１における固定部４３も第２開口部４７から保持部材３２の外側の突出する。これより、固定部４３の突起部４４が、この第２開口部４７の縁部に係止される。この係止により、係止部材３１は、係止位置から元の収納位置（初期位置）に戻ることができなくなる。
【００７７】
締結具２８における押圧部５９は、保持部材３２の第１開口部４６にも係合していることから、上記の回転操作が行われた場合、押圧部５９は、第１開口部４６における案内部４９に案内されながら時計回りに回転し、初期位置から９０°回転した位置で、第１開口部４６における係止部５０によって、それ以上回転しないように係止される。
【００７８】
また、締結具２８の回転によって、掛止突起部５８は、保持部材３２の案内突起部３４によって弾性変形させられた状態で、この案内突起部３４における円弧状の凹面に案内される。締結具２８が９０°回転すると、掛止突起部５８は、２つの案内突起部３４，３４の間の隙間３５に位置し、案内突起部３４によって係止される。以上により、第１封印手段２４による封印が完了する。
【００７９】
この封印を解除するには、係止部材３１による第２係合部２７の係止を解除する必要がある。このためには、第１係合部２６と第２係合部２７とを破壊しなければならず、封印を解除した場合には、必ずその破壊の痕跡が残ることになる。このような構成により、封印が不正に解除されることを抑制できるとともに、封印が解除されたことが必ず判明することとなる。
【００８０】
次に、第２封印手段２５による封印方法について説明する。
【００８１】
上記のように、第１ケース体２２の内面に制御基板１８を固定し、第１ケース体２２を第２ケース体２３に重ね合わせた後、第１ケース体２２の第１係合部２６を第２ケース体２３の第２係合部２７に近づけるように、第１ケース体２２を長手方向に沿ってスライドさせる。
【００８２】
このとき、第１ケース体２２の第１係合部２６が第２ケース体２３の第２係合部２７に近づくとともに、第１ケース体２２の第１貼付部６６及び連結部６８が、第２ケース体２３の第２貼付部６７に近づいていく。
【００８３】
第１係合部２６が第２係合部２７に係合したとき、第１貼付部６６が第２貼付部６７に隣接するとともに、連結部６８が第２貼付部６７の側部に係止される。これにより、第１貼付部６６と第２貼付部６７とが所定の位置に固定される。次に、連結部材６５によって、第１ケース体２２と第２ケース体２３とを連結する。すなわち、連結部材６５を、第１ケース体の貫通孔２２ｂに挿通するとともに、第２ケース体２３に設けられているねじ穴２３ａに螺合させる。
【００８４】
その後、第２封印手段２５における切断部材６３を、２つの第１貼付部６６の間及び２つの第２貼付部６７の間の収納空間に収納する。これにより、連結部材６５は、この切断部材６３に覆われた状態になる。
【００８５】
次に、封印シール６１を貼付部６２に貼り付ける。このとき、封印シール６１は、その一部が第１貼付部６６に貼り付けられ、他の部分が第２貼付部６７に貼り付けられることが望ましい。
【００８６】
その後、カバー体６４によって、封印シール６１及び貼付部６２を被覆する。具体的には、カバー体６４の固定突起部７４を第１ケース体２３の第１貼付部６６に形成された切欠部７６に係合させる。このとき、カバー体６４の連結突起部７５が、切断部材６３の支持部７０に形成された開口部７１に係合し、カバー体６４と切断部材６３が連結される。
【００８７】
以上によって第２封印手段２５による封印が完了する。この封印を解除するには、カバー体６４を取り外す必要がある。カバー体６４を取り外すと、これに連結される切断部材６３もカバー体６４とともに移動することになる。したがって、カバー体６４が取り外されると、切断部材６３によって、封印シール６１が切断されてしまう。これによって、封印シール６１を剥がして、再度貼り直すという不正行為を行うことができなくなる。
【００８８】
以上説明した本発明に係る基板ケース２１及び遊技機によれば、第１封印手段２４は、締結具２８の押圧部５９によって、係止部材３１を押圧することで、初期位置にある係止部材３１を確実に係止位置へと移動させることができる。係止部材３１と締結具２８は別体であるため、仮に締結具２８が抜き取られたとしても、係止部材３１が係止位置に残ることで、第１ケース体２２が第２ケース体２３から取り外されないように、両ケース体２２、２３を係止できる。したがって、基板ケース２１に対する不正行為をより効果的に防止できるようになる。さらに、第２封印手段２５による封印によって、不正行為の防止効果をさらに高めることが可能になる。
【００８９】
また、締結具２８における押圧部５９は、一対の係止部材３１，３１における一対の係合凹部４２の間に位置することから、締結具２８を回転させたときに、確実に係止部材３１を押圧して、これを移動させることができる。
【００９０】
また、第１封印手段２４における固定部４３によって、係止部材３１が第２係合部２７を係止する係止状態を維持することが可能になる。したがって、例えば、締結具２８が不正に取りはずされた場合であっても、係止部材３１による第２係合部２７の係止（封印）が解除されることがなく、これによって不正行為をより効果的に防止できるようになる。
【００９１】
なお、本発明に係る基板ケース２１及び遊技機は、上記実施形態の構成に限定されるものではない。また、本発明に係る基板ケース２１及び遊技機は、上記した作用効果に限定されるものでもない。本発明に係る基板ケース２１及び遊技機は、本発明の要旨を逸脱しない範囲で種々の変更が可能である。
【００９２】
例えば、上記の実施形態では基板ケース２１に２つの第１封印手段２４が設けられた例を示したが、これに限定されず、第１封印手段２４の数は３以上の複数であってもよい。
【００９３】
上記の実施形態では、締結具２８の操作部５７にはマイナスドライバが係合するように構成されていたが、これに限定されない。操作部５７は、プラスドライバその他の回転工具が係合されるように構成されてもよい。
【００９４】
上記の実施形態では、基板ケース２１に第１封印手段２４と第２封印手段２５の２種類の封印手段が形成された例を示したが、これに限定されない。基板ケース２１には、第１封印手段２４のみを形成してもよく、また、第２封印手段２５のみを形成してもよい。
【符号の説明】
【００９５】
１…外枠、２…遊技盤、３…扉、４…表示装置、５…ガイドレール、６…ゲート、７…入球口、８…回収口、９…開閉手段、１０…ハンドル、１１…受皿、１１ａ…貸出ボタン、１１ｂ…返却ボタン、１２…ランプ、１３…スピーカ、１４…主制御部、１５…副制御部、１６…払出制御部、１８…制御基板、１８ａ…基板本体、１８ｂ…電子部品、２１…基板ケース、２２…第１ケース体、２２ａ…突起部、２２ｂ…貫通孔、２３…第２ケース体、２３ａ…ねじ穴、２４…第１封印手段、２５…第２封印手段、２６…第１係合部、２７…第２係合部、２８…締結具、２９…第１挿通口、３０…第２挿通口、３１…係止部材、３２…保持部材、３２ａ…第１構成部材、３２ｂ…第２構成部材、３３…収納凹部、３４…案内突起部、３５…隙間、３６…案内溝、３７…貫通孔、４１…係止突起部、４２…係合凹部、４３…固定部、４４…突起部、４５…係合突起部、４６…第１開口部、４７…第２開口部、４８…第３開口部、４９…案内部、５０…係止部、５１…第１被覆部、５２…第２被覆部、５３…係合溝、５４…板部材、５５…突起部、５６…軸部、５７…操作部、５８…掛止突起部、５９…押圧部、６０…凹部、６１…封印シール、６２…貼付部、６３…切断部材、６４…カバー体、６５…連結部材、６６…第１貼付部、６６ａ…貼付面、６７…第２貼付部、６７ａ…貼付面、６８…連結部、６９…切断刃、７０…支持部、７１…開口部、７２…カバー部、７３…側壁部、７４…固定突起部、７５…連結突起部、７６…切欠部
【図１】
2015144779.tif 000003
【図２】
2015144779.tif 000004
【図３】
2015144779.tif 000005
【図４】
2015144779.tif 000006
【図５】
2015144779.tif 000007
【図６】
2015144779.tif 000008
【図７】
2015144779.tif 000009
【図８】
2015144779.tif 000010
【図９】
2015144779.tif 000011
【図１０】
2015144779.tif 000012
【図１１】
2015144779.tif 000013
【図１２】
2015144779.tif 000014
【図１３】
2015144779.tif 000015
【図１４】
2015144779.tif 000016
【図１５】
2015144779.tif 000017
【図１６】
2015144779.tif 000018
【図１７】
2015144779.tif 000019